(57)【要約】      （修正有）【課題】締め付け状態の弛みに対して、ブーツの保持力が低下しにくい構成を有するスノーボード用ビンディングを提供する。【解決手段】トゥーストラップ５の一方のベルト５４および他方のベルト５５の少なくとも何れか一方のベルトの左右方向の中央位置に少なくとも前後何れかの方向に延びる延在部が形成され、ブーツ装着時に、上記ベルトの延在部が、隣接する位置のベルトの非延在部よりも先にブーツと当接する。【選択図】図１
2015128487.tif 000002
【特許請求の範囲】
【請求項１】
スノーボードへの固定手段を有するベースプレートと、上記ベースプレートの後端に接続されたバックサポ−トと、
ブーツの甲部を締め付けるため前記ベースプレートの一側にその一端を接続したアンクルストラップと、前記ベースプレートの他側にその一端を接続したアンクルストラップ用ラチェットバンドと、上記アンクルストラップの他端に配置され、上記アンクルストラップ用ラチェットバンドと係合するアンクルストラップ用締め付け具と、
ブーツの爪先部を締付けるため前記ベースプレートの一側にその一端を接続したトゥーストラップと、前記ベースプレートの他側にその一端を接続したトゥーストラップ用ラチェットバンドと、上記トゥーストラップ７の他端に配置され、上記トゥーストラップ用ラチェットバンドと係合するトゥーストラップ用締め付け具と、を有し、
上記トゥーストラップはブーツの爪先の上部分を締付けることが可能な一方のベルトとブーツの爪先の先端を締付けることが可能な他方のベルトとを有し、
上記トゥーストラップ用ラチェットバンドと係合した上記トゥーストラップ用締め付け具の締め付け操作によって、上記トゥーストラップが上記ベースプレートの他側に向かって移動して、上記一方のベルトおよび他方のベルトがブーツの爪先の上部分と爪先の先端を同時に締め付けることができるように構成されたスノーボード用ビンディングにおいて、
上記一方のベルトおよび他方のベルトの少なくとも何れか一方のベルトの左右方向の中央位置に少なくとも前後何れかの方向に延びる延在部が形成され、
ブーツ装着時に、上記ベルトの延在部が、隣接する位置のベルトの非延在部よりも先にブーツと当接するように構成されることを特徴とするスノーボード用ビンディング。
【請求項２】
上記ベルトの延在部は、隣接する位置の非延在部のベルトよりも薄肉に形成されることを特徴とする請求項１記載のスノーボード用ビンディング。
【請求項３】
上記ベルトの延在部のブーツとの当接面は、隣接する位置の非延在部のベルトのブーツとの当接面よりも、ブーツ当接方向に傾斜して形成されることを特徴とする請求項１または２記載のスノーボード用ビンディング。
【請求項４】
上記ベルトの延在部は、上記一方のベルトと他方のベルトの外側位置から前後方向に伸びる外側延在部を有することを特徴とする請求項1〜３の何れか１項記載のスノーボード用ビンディング。
【請求項５】
上記ベルトの延在部は、上記一方のベルトと他方のベルトの内側位置から前後方向に伸びる内側延在部を有することを特徴とする請求項1〜４の何れか１項記載のスノーボード用ビンディング。
【請求項６】
上記トゥーストラップの一方のベルトと他方のベルト間の上方位置の左右方向に、上記トゥーストラップの一方のベルトと他方のベルト間へのブーツの爪先の侵入距離を規制する中央規制部材が配置されることを特徴とする請求項1〜５のいずれか１項記載のスノーボード用ビンディング。
【発明の詳細な説明】
【技術分野】
【０００１】
本発明はスノーボード用ビンディングに関するものである。
【背景技術】
【０００２】
特開２００４−１５４５９３号公報には、ベースプレート２と、このベースプレート２の一側にその一端を取り付けた一方のバンドと、上記ベースプレート２の他側にその一端を取り付けた他方のバンドと、上記両バンドの他端間を連結するバックルとよりなり、上記一方及び他方のバンドの何れか一方がブーツ１００の爪先の先端部分を締付ける部分７１と、ブーツ１００の爪先の上部分を締付ける部分７２とを有することを特徴とするスノーボード用ビンディングが開示されている。
【０００３】
しかしながら、この従来技術では、ブーツ１００に上記バンドを締め付ける際に、ブーツ１００の爪先に対して適切な位置と異なる位置に、ブーツ１００の爪先の先端部分を締付ける部分７１とブーツ１００の爪先の上部分を締付ける部分７２が固定され、使用中にブーツ１００の爪先の先端部分を締付ける部分７１とブーツ１００の爪先の上部分を締付ける部分７２がブーツ１００の爪先部分から移動し、弛みが生じる場合があった。
【０００４】
また、特開２００５−３１８９１３号公報では、ベースプレート２と、このベースプレート２の一側にその一端を取り付けた一方のバンドと、上記ベースプレート２の他側にその一端を取り付けた他方のバンドと、前記両バンドの他端間を連結するバックルとよりなるトゥーストラップ５において、前記一方及び他方のバンドの何れか一方が、ブーツ１００の爪先の先端部分を締付けるパッド８３の下側周囲に固定された下側ベルト８１と、ブーツ１００の爪先の上部分を締付けるパッド８３の上側周囲に固定された上側ベルト８２を有し、前記パッド８３が伸縮性を有し、更に前記パッド８３の伸縮を規制する制限手段（中央規制部材５７）を有することを特徴とするスノーボード用ビンディングが開示されている。
【０００５】
前記制限手段が、前記パッド８３の外側面上を左右方向に配置した中央規制部材５７からなり、前記中央規制部材５７は、ブーツ１００の爪先の先端部分を締付けるパッド８３の下側周囲に固定された下側ベルト８１と、ブーツ１００の爪先の上部分を締付けるパッド８３の上側周囲に固定された上側ベルト８２間に固定されるが、ブーツ１００を固定する際に、ブーツ１００の爪先に対して適切な位置と異なる位置に、ブーツ１００の爪先の先端部分を締付けるパッド８３の下側周囲に固定された下側ベルト８１とブーツ１００の爪先の上部分を締付けるパッド８３の上側周囲に固定された上側ベルト８２が固定され、使用中にパッド８３がブーツ１００の爪先部分から移動し、弛みが生じてしまうことを防止する効果はなかった。
【先行技術文献】
【特許文献】
【０００６】
【特許文献１】特開２００４−１５４５９３号公報
【特許文献２】特開２００５−３１８９１３号公報
【発明の概要】
【発明が解決しようとする課題】
【０００７】
本発明のスノーボード用ビンディングは、ベースプレートと、このベースプレートの一側にその一端を接続したトゥーストラップと、締め付け具とを有し、上記トゥーストラップはブーツの爪先の上部分を締付ける一方のベルトとブーツの爪先の先端を締付ける他方のベルトとより成り、上記締め付け具によって、ブーツに対して上記トゥーストラップを締め付ける際に、上記トゥーストラップが、容易にブーツの爪先部分の形状に対しして適切な固定位置になるともに、ブーツに対して上記トゥーストラップを締め付けることによって上記トゥーストラップが変形し、締め付け状態の弛みに対して、ブーツの保持力が低下しにくい構成を有することを課題とする。
【課題を解決するための手段】
【０００８】
本発明のスノーボード用ビンディングは、スノーボードへの固定手段を有するベースプレートと、上記ベースプレートの後端に接続されたバックサポ−トと、ブーツの甲部を締め付けるため前記ベースプレートの一側にその一端を接続したアンクルストラップと、前記ベースプレートの他側にその一端を接続したアンクルストラップ用ラチェットバンドと、上記アンクルストラップの他端に配置され、上記アンクルストラップ用ラチェットバンドと係合するアンクルストラップ用締め付け具と、ブーツの爪先部を締付けるため前記ベースプレートの一側にその一端を接続したトゥーストラップと、前記ベースプレートの他側にその一端を接続したトゥーストラップ用ラチェットバンドと、上記トゥーストラップ７の他端に配置され、上記トゥーストラップ用ラチェットバンドと係合するトゥーストラップ用締め付け具と、を有し、上記トゥーストラップはブーツの爪先の上部分を締付けることが可能な一方のベルトとブーツの爪先の先端を締付けることが可能な他方のベルトとを有し、上記トゥーストラップ用ラチェットバンドと係合した上記トゥーストラップ用締め付け具の締め付け操作によって、上記トゥーストラップが上記ベースプレートの他側に向かって移動して、上記一方のベルトおよび他方のベルトがブーツの爪先の上部分と爪先の先端を同時に締め付けることができるように構成されたスノーボード用ビンディングにおいて、上記一方のベルトおよび他方のベルトの少なくとも何れか一方のベルトの左右方向の中央位置に少なくとも前後何れかの方向に延びる延在部が形成され、ブーツ装着時に、上記ベルトの延在部が、隣接する位置のベルトの非延在部よりも先にブーツと当接するように構成されることを特徴とする。
【０００９】
更に、上記ベルトの延在部は、隣接する位置の非延在部のベルトよりも薄肉に形成されることを特徴とする。
【００１０】
更に、上記ベルトの延在部のブーツとの当接面は、隣接する位置の非延在部のベルトのブーツとの当接面よりも、ブーツ当接方向に傾斜して形成されることを特徴とする。
【００１１】
更に、上記ベルトの延在部は、上記一方のベルトと他方のベルトの外側位置から前後方向に伸びる外側延在部を有することを特徴とする。
【００１２】
更に、上記ベルトの延在部は、上記一方のベルトと他方のベルトの内側位置から前後方向に伸びる内側延在部を有することを特徴とする。
【００１３】
更に、上記トゥーストラップの一方のベルトと他方のベルト間の上方位置の左右方向に、上記トゥーストラップの一方のベルトと他方のベルト間へのブーツの爪先の侵入距離を規制する中央規制部材が配置されることを特徴とする。
【発明の効果】
【００１４】
本発明のスノーボード用ビンディングは、上記締め付け具によって、ブーツに対して上記トゥーストラップを締め付ける際に、上記左右一対の前後幅縮小部と上記内側延在部および外側延在部上記の作用によって、上記トゥーストラップが、自動的にブーツの爪先部分の形状に対しして最適な固定位置にガイドされるため、スムーズに上記一方のベルトと他方のベルトをブーツの適切な装着位置に装着することができる。更に、ブーツに対して上記トゥーストラップを締め付けた際に、上記トゥーストラップの上記内側延在部および外側延在部上記が変形し、締め付け状態の弛んだ場合に上記内側延在部および外側延在部上記の変形状態が戻ることによって、ブーツの保持力の急激な低下を防止することができる。
【図面の簡単な説明】
【００１５】
【図１】本発明の第１実施例に係る斜視図である。
【図２】本発明の第１実施例に係るブーツ装着状態の斜視図である。
【図３】本発明の第１実施例に係るトゥーストラップ用ラチェットバンドとトゥーストラップ用締め付け具が分離した状態のトゥーストラップ部分の平面図である。
【図４】本発明の第１実施例に係るトゥーストラップ用ラチェットバンドとトゥーストラップ用締め付け具が結合した状態のトゥーストラップ部分の平面図である。
【図５】本発明の第１実施例に係るＡＡ線断面図である。
【図６】本発明の第１実施例に係るＢＢ線断面図である。
【図７】本発明の第１実施例に係るトゥーストラップをブーツに固定する前の状態を示す参考図である。
【図８】本発明の第１実施例に係るトゥーストラップをブーツに固定する途中の状態を示す参考図である。
【図９】本発明の第１実施例に係るトゥーストラップをブーツに固定した状態を示す参考図である。
【図１０】本発明の第２実施例に係るトゥーストラップ用ラチェットバンドとトゥーストラップ用締め付け具が分離した状態のトゥーストラップ部分の平面図である。
【図１１】本発明の第２実施例係るトゥーストラップ用ラチェットバンドとトゥーストラップ用締め付け具が結合した状態のトゥーストラップ部分の平面図である。
【図１２】本発明の第２実施例に係るＣＣ線断面図である。
【図１３】本発明の第２実施例に係るＤＤ線断面図である。
【図１４】本発明の第３実施例に係るトゥーストラップ用ラチェットバンドとトゥーストラップ用締め付け具が分離した状態のトゥーストラップ部分の平面図である。
【図１５】本発明の第３実施例係るトゥーストラップ用ラチェットバンドとトゥーストラップ用締め付け具が結合した状態のトゥーストラップ部分の平面図である。
【図１６】本発明の第３実施例に係るＥＥ線断面図である。
【図１７】本発明の第３実施例に係るＦＦ線断面図である。
【図１８】本発明の第３実施例の変形例に係るトゥーストラップ用ラチェットバンドとトゥーストラップ用締め付け具が結合した状態のトゥーストラップ部分の平面図である。
【図１９】本発明の更なる変形例を示すトゥーストラップ部分の平面図である。
【図２０】本発明の更なる変形例を示すトゥーストラップ部分の平面図である。
【図２１】本発明の更なる変形例を示すトゥーストラップ部分の平面図である。
【図２２】従来技術を示すブーツ装着状態の側面図である。
【図２３】従来技術を示すブーツ装着状態の側面図である。
【発明を実施するための形態】
【実施例１】
【００１６】
本発明の第１実施例におけるスノーボード用ビンディング１は、図１〜図９に示すように、底面中央部にスノーボード２００との固定手段を有するベースプレート２と、上記ベースプレート２の後端に下端部が接続されるバックサポ−ト３と、ブーツ１００の甲１１１を締め付けるため前記ベースプレート２の一側２１にその一端を接続したアンクルストラップ４と、前記ベースプレート２の他側２２にその一端を接続したアンクルストラップ用ラチェットバンド４１と、上記アンクルストラップ４の他端に固定され、上記アンクルストラップ用ラチェットバンド４１と係合するラチェットバックルからなるアンクルストラップ用締め付け具４２と、ブーツ１００の爪先１１３を締付けるため前記ベースプレート２の一側２１にその一端を接続したトゥーストラップ５と、前記ベースプレート２の他側２２にその一端を接続したトゥーストラップ用ラチェットバンド５１と、上記トゥーストラップ５の他端に配置され、上記トゥーストラップ用ラチェットバンド５１と係合するラチェットバックルからなるトゥーストラップ用締め付け具５２と、を有する。
【００１７】
上記アンクルストラップ４は、ブーツの甲の部分を締め付ける前後幅拡大部４３が固定される。
【００１８】
上記アンクルストラップ用ラチェットバンド４１には複数のラチェット歯４１ａが形成され、上記アンクルストラップ用ラチェットバンド４１に形成されたラチェット歯４１ａに対して上記アンクルストラップ用締め付け具４２の締め付け操作を行なうことによって、上記アンクルストラップ４の他端が上記ベースプレート２の他側２２に向かって移動し、上記前後幅拡大部４３がブーツ１００の甲１１１を締め付けるように構成される。
【００１９】
上記トゥーストラップ５はブーツ１００の爪先１１３の上部分を締付けることが可能な一方のベルト５４とブーツの爪先１１３の先端を締付けることが可能な他方のベルト５５と、一端が上記ベースプレート２の一側２１に接続され、他端が上記ベルト部５３の一端に接続されるトゥーストラップ用バンド５６を有する。
【００２０】
上記トゥーストラップ用ラチェットバンド５１には複数のラチェット歯５１ａが形成され、上記トゥーストラップ用ラチェットバンド５１に形成されたラチェット歯５１ａに対して上記トゥーストラップ用締め付け具５２の締め付け操作を行なうことによって、上記トゥーストラップ５の他端が上記ベースプレート２の他側２２に向かって移動し、上記一方のベルト５４および他方のベルト５５によって、ブーツの爪先の上部分と爪先の先端を同時に締め付けるように構成される。
【００２１】
本実施例においては、上記トゥーストラップ５の一方のベルト５４および他方のベルト５５に夫々、左右一対の前後幅縮小部５４ａ、５４ｂ、５５ａ、５５ｂが形成され、上記トゥーストラップ５の一方のベルト５４および他方のベルト５５は、上記前後幅縮小部間のベルトが上記前後幅縮小部５４ａ、５４ｂ、５５ａ、５５ｂを起点として容易に軸回転方向のねじれを発生させることができる様になるため、上記トゥーストラップ５の一方のベルト５４および他方のベルト５５のブーツ当接面が、固定するブーツ１００の爪先１１３の形状に沿って適切な位置に移動するように構成される。
【００２２】
尚、上記トゥーストラップ５の一方のベルト５４および他方のベルト５５において、上記前後幅縮小部間５４ａ−５４ｂおよび５５ａ−５５ｂのベルトが夫々、上記前後幅縮小部５４ａ、５４ｂおよび５５ａ、５５ｂを起点として容易に軸回転方向のねじれを発生させるためには、上記前後幅縮小部５４ａ、５４ｂ、５５ａ、５５ｂにおける前記ベルトの最小前後幅と上記最小前後幅の位置における肉厚の関係は、締付けの際の必要強度を維持した上で、なるべく差異が少ない方が望ましい。
【００２３】
上記トゥーストラップ５の一方のベルト５４と他方のベルト５５の上記左右一対の前後幅縮小部間５４ａ−５４ｂおよび５５ａ−５５ｂには夫々、上記一方のベルト５４と他方のベルト５５の外側位置から前後方向に伸びる外側延在部５４ｃ、５５ｃと、上記一方のベルト５４と他方のベルト５５の内側位置から前後方向に伸びる内側延在部５４ｄ、５５ｄが形成される。
【００２４】
図７〜図９に示すように、上記一方のベルト５４および他方のベルト５５の外側延在部５４ｃ、５５ｃおよび内側延在部５４ｄ、５５ｄのブーツとの当接面は、隣接する位置の非延在部のベルト５４、５５のブーツ１００との当接面よりも、ブーツ１００の当接方向に傾斜して形成されることによって、ブーツ１００の装着時に、トゥーストラップ５の一方のベルト５４および他方のベルト５５の、外側延在部５４ｃ、５５ｃと内側延在部５４ｄ、５５ｄの少なくとも何れかが、非延在部のベルト５４、５５よりも先にブーツ１００と当接するように構成され、上記ブーツ１００の爪先１１３に上記一方のベルト５４および他方のベルト５５が密着する前に、上記外側延在部５４ｃ、５５ｃと内側延在部５４ｄ、５５ｄの少なくとも何れかがブーツ１００の爪先１１３と当接して、上記一方のベルト５４と他方のベルト５５を適切な装着位置にガイドし、また、その際に上記前後幅縮小部５４ａ、５４ｂ、５５ａ、５５ｂが形成されていると、上記一方のベルト５４と他方のベルト５５の上記左右一対の前後幅縮小部間５４ａ−５４ｂおよび５５ａ−５５ｂの軸回転および角度の変位が容易となり、上記外側延在部５４ｃ、５５ｃと内側延在部５４ｄ、５５ｄとブーツ１００の爪先１１３先端との当接面に過度の面圧が掛かることがなく、スムーズに上記一方のベルト５４と他方のベルト５５を適切な装着位置にガイドすることが容易となる。
【００２５】
更に、上記外側延在部５４ｃ、５５ｃと内側延在部５４ｄ、５５ｄは、隣接する位置の非延在部の一方のベルト５４および他方のベルト５５よりも薄い厚さになる様に形成され、もしくは、夫々の外側延在部５４ｃ、５５ｃもしくは、および内側延在部５４ｄ、５５ｄと上記一方のベルト５４および他方のベルト５５の非延在部の境界位置に薄肉の溝部（図示せず）を形成することによって、起伏の自由度が増すため、更にスムーズに上記一方のベルト５４と他方のベルト５５を適切な装着位置にガイドすることができるようになると共に、ブーツ１００に対して上記トゥーストラップ５を締め付けた際に、上記トゥーストラップ５の非延在部の一方のベルト５４および他方のベルト５５に対して外側延在部５４ｃ、５５ｃおよび内側延在部５４ｄ、５５ｄが変形を維持した状態となるため、仮にブーツ１００に対してトゥーストラップ５の締め付け状態に弛みが生じる方向の移動が起きても、上記一方のベルト５４および他方のベルト５５の非延在部に対して、上記外側延在部５４ｃ、５５ｃおよび内側延在部５４ｄ、５５ｄが、変形が解消される方向に移動することによって、ブーツ１００に対する保持力の急激な低下を防止することができる。
【００２６】
尚、上記ベースプレート２の一側２１に対するトゥーストラップ用バンド５６の一端の接続部および、上記ベースプレートの他側２２に対する上記トゥーストラップ用ラチェットバンド５１の一端の接続部は夫々、ベースプレートに対して回動可能に構成され、上記トゥーストラップ５の一方のベルト５４と他方のベルト５５の両方で、ブーツ１００の爪先１１３の上部分１１４を締付けることもでき、その場合も、ブーツ１００に対して上記トゥーストラップ５を締め付けた際に、上記トゥーストラップ５の非延在部の一方のベルト５４および他方のベルト５５に対して外側延在部５４ｃ、５５ｃおよび内側延在部５４ｄ、５５ｄが変形を維持した状態となるため、仮にブーツ１００に対してトゥーストラップ５の締め付け状態に弛みが生じる方向の移動が起きても、上記一方のベルト５４および他方のベルト５５の非延在部に対して、上記外側延在部５４ｃ、５５ｃおよび内側延在部５４ｄ、５５ｄが、変形が解消される方向に移動することによって、ブーツ１００に対する保持力の急激な低下を防止することができる。
実施例２
【００２７】
本発明の第２実施例におけるスノーボード用ビンディング１は、図１０〜図１３に示すように、第１実施例のスノーボード用ビンディング１において、上記トゥーストラップ５の一方のベルト５４および他方のベルト５５に、上記外側延在部５４ｃ、５５ｃを形成せず、上記内側延在部５４ｄ、５５ｄのみが形成される。
実施例３
【００２８】
本発明の第３実施例におけるスノーボード用ビンディング１は、図１４〜図１７に示すように、第１実施例のスノーボード用ビンディング１において、上記トゥーストラップ５の一方のベルト５４および他方のベルト５５に、上記内側延在部５４ｄ、５５ｄを形成せず、上記外側延在部５４ｃ、５５ｃのみが形成される。
【００２９】
尚、本実施例においては図１８に示すように、上記トゥーストラップ５の一方のベルト５４と他方のベルト５５間の上方位置の左右方向に、上記一方のベルト５４と他方のベルト５５間へのブーツ１００の爪先１１３の侵入距離を規制する中央規制部材５７が配置され、上記中央規制部材５７の一端および他端は夫々、上記一方のベルト５４と他方のベルト５５とより構成されるベルト部５３の一端および他端に固定される。尚、上記中央規制部材５７の一端に固定位置に長さ調整機構を設けても良い。（図示せず）、また、上記中央規制部材５７は必ずしも設けなくても良い。
【００３０】
また、本発明の更なる変形例として、図１９、図２０、図２１に示すように外側延在部５４ｃ、５５ｃおよび、もしくは内側延在部５４ｄ、５５ｄは、上記トゥーストラップ５の一方のベルト５４または他方のベルト５５の何れか一方のみに形成しても良い。
【産業上の利用可能性】
【００３１】
本発明のスノーボード用ビンディングは、ブーツに対してトゥーストラップを締め付ける際に、上記トゥーストラップが、容易にブーツの爪先部分の形状に対しして最適な固定位置になるスノーボード用ビンディングとして、産業上有効に利用することができる。
【符号の説明】
【００３２】
１：ビンディンング、２：ベースプレート、３：バックサポート、４：アンクルストラップ、５：トゥーストラップ、２１：一側、２２：他側、４１：アンクルストラップ用ラチェットバンド、４１ａ：ラチェット歯、４２：アンクルストラップ用締め付け具、４３：前後幅拡大部、５１：トゥーストラップ用ラチェットバンド、５１ａ：ラチェット歯、５２：トゥーストラップ用締め付け具、５４：一方のベルト、５５：他方のベルト、５６：トゥーストラップ用バンド、５７：中央規制部材、７１：先端部分を締付ける部分、７２：上部分を締付ける部分、８１：下側ベルト、８２：上側ベルト、８３：パッド、１００：ブーツ、１１１：甲、１１３：爪先、２００：スノーボード
【図１】
2015128487.tif 000003
【図２】
2015128487.tif 000004
【図３】
2015128487.tif 000005
【図４】
2015128487.tif 000006
【図５】
2015128487.tif 000007
【図６】
2015128487.tif 000008
【図７】
2015128487.tif 000009
【図８】
2015128487.tif 000010
【図９】
2015128487.tif 000011
【図１０】
2015128487.tif 000012
【図１１】
2015128487.tif 000013
【図１２】
2015128487.tif 000014
【図１３】
2015128487.tif 000015
【図１４】
2015128487.tif 000016
【図１５】
2015128487.tif 000017
【図１６】
2015128487.tif 000018
【図１７】
2015128487.tif 000019
【図１８】
2015128487.tif 000020
【図１９】
2015128487.tif 000021
【図２０】
2015128487.tif 000022
【図２１】
2015128487.tif 000023
【図２２】
2015128487.tif 000024
【図２３】
2015128487.tif 000025